(57)【要約】【課題】収納物の出し入れがしやすいキャビネットを提供することである。【解決手段】前方が開口したキャビネット本体１と、前記開口を開閉する扉２と、キャビネット本体１内部の開口側に備えられた前棚３と、前棚３に隣接して奥側４に備えられた奥棚４と、扉２と奥棚４とを連動させる連動手段５とを有しており、連動手段５を用いることによって、奥棚４は、扉２を開くに伴いキャビネット本体１から外部へと移動し、扉２を閉じるに伴いキャビネット本体１の内部に戻るようになしたキャビネット。【選択図】図１
2007222263.tif 000002
【特許請求の範囲】
【請求項１】
前方が開口したキャビネット本体と、前記開口を開閉する扉と、キャビネット本体内部の開口側に備えられた前棚と、前棚に隣接して奥側に備えられた奥棚と、扉と奥棚とを連動させる連動手段とを有しており、連動手段を用いることによって、奥棚は、扉を開くに伴いキャビネット本体から外部へと移動し、扉を閉じるに伴いキャビネット本体の内部に戻るようになしたキャビネット。
【請求項２】
キャビネット本体の下面には下面開口部が設けられており、連動手段を用いることによって、扉を開くに伴い奥棚が下面開口部から外部へと降下し、降下した奥棚は、扉を閉じるに伴い上昇して元の位置に戻るようになしたことを特徴とする請求項１記載のキャビネット。
【発明の詳細な説明】
【技術分野】
【０００１】
本願発明は、洗面所、台所等の場所で用いられるキャビネットに関するものである。
【背景技術】
【０００２】
従来から、特開２００４−０１６７２０号公報（特許文献１）に示されるように、洗面所、台所等の場所で用いられるキャビネットは知られている。このキャビネットは、室内の高所に備えられるもであって、図３に示すように、キャビネット本体には、昇降棚９１と、扉９２と、昇降棚９１と扉９２とを連動させる昇降ガイド機構９３とが設けられている。昇降ガイド機構９３によって、扉９２を上に押し上げて開く作業に連動して、昇降棚９１が降下する構造になっている。
【０００３】
したがって、この場合には、昇降棚９１を降下させることで、キャビネットが高所に備えられた場合においても、昇降棚９１から収納物を容易に出し入れすることができる。更に、昇降棚９１は扉９２を開く作業に連動して降下するため、昇降棚９１を降下させる作業が必要なく、収納物の出し入れがより容易になるものである。
【特許文献１】特開２００４−０１６７２０号公報
【発明の開示】
【発明が解決しようとする課題】
【０００４】
しかしながら、上記従来例であるキャビネットにあっては、昇降棚９１の奥側に収納された収納物の出し入れがしにくいという問題がある。特に、奥行きのあるキャビネットにおいては、降下するとはいえ、比較的高所に位置する昇降棚９１の奥側からの収納物の出し入れは非常に困難な作業となる。
【０００５】
本願発明は、上記背景技術に鑑みて発明されたものであり、その課題は、収納物の出し入れがしやすいキャビネットを提供することである。
【課題を解決するための手段】
【０００６】
上記課題を解決するために、本願請求項１記載の発明では、前方が開口したキャビネット本体と、前記開口を開閉する扉と、キャビネット本体内部の開口側に備えられた前棚と、前棚に隣接して奥側に備えられた奥棚と、扉と奥棚とを連動させる連動手段とを有しており、連動手段を用いることによって、奥棚は、扉を開くに伴いキャビネット本体から外部へと移動し、扉を閉じるに伴いキャビネット本体の内部に戻るようになしている。
【０００７】
又、本願請求項２記載の発明では、上記請求項１記載の検知器において、キャビネット本体の下面には下面開口部が設けられており、連動手段を用いることによって、扉を開くに伴い奥棚が下面開口部から外部へと降下し、降下した奥棚は、扉を閉じるに伴い上昇して元の位置に戻るようになしたことを特徴としている。
【発明の効果】
【０００８】
本願請求項１記載の発明のキャビネットにおいては、扉を開くことで前棚からの出し入れが可能となると共に、奥棚がキャビネット本体から外部へと移動するようになしているため、キャビネットの奥側に収納された収納物であっても容易に出し入れすることができる。
【０００９】
又、連動手段を用いることによって、扉の開閉作業に連動して奥棚が移動するようになしているため、別途、奥棚を移動させる必要なく、前棚と奥棚との両方において容易に収納物の出し入れが可能となる。
【００１０】
又、本願請求項２記載の発明のキャビネットにおいては、奥棚が下面開口部から外部へと降下するようになしているため、キャビネットが高所に備えられた場合においても、奥棚から収納物を容易に出し入れすることができる。
【発明を実施するための最良の形態】
【００１１】
図１は、本願請求項１、２全てに対応した第一の実施形態であるキャビネットを示している。このキャビネットは、前方が開口したキャビネット本体１と、前記開口を開閉する扉２と、キャビネット本体１内部の開口側に備えられた前棚３と、前棚３に隣接して奥側に備えられた奥棚４と、扉２と奥棚４とを連動させる連動手段５とを有している。この連動手段５を用いることによって、奥棚４は、扉２を開くに伴いキャビネット本体１から外部へと移動し、扉２を閉じるに伴いキャビネット本体１の内部に戻るようになしている。
【００１２】
又、このキャビネットにおいては、キャビネット本体１の下面に下面開口部６が設けられており、連動手段５を用いることによって、扉２を開くに伴い奥棚４が下面開口部６から外部へと降下し、降下した奥棚４は、扉２を閉じるに伴い上昇して元の位置に戻るようになしている。
【００１３】
以下、この実施形態のキャビネットを、より具体的詳細に説明する。図１に示すように、このキャビネットは、壁７に直接備えつけられたウォールキャビネットであり、キャビネット本体１の両側面は壁７から成っており、上面は壁７に取り付けられた上板１２から成っている。又、キャビネット本体１の前面は開口しており、上板１２には、上下に回動してこの開口を開閉する扉２が備えられている。
【００１４】
なお、キャビネット本体１は、前方が開口した箱型であって、キャビネット本体１の側面或いは上面を壁７や天井等に取り付けて備えられるものであってもよい。
【００１５】
キャビネット本体１には、開口側においてＬ字型の前棚３が、前棚３に隣接した奥側には前方が開口した箱型である奥棚４が設けられている。キャビネット本体１の下面は前棚３の下面から成っており、前棚３から奥側は下面開口部６となっている。又、奥棚４の両側面の上端には、上ワイヤ５１の一端が一本ずつ取り付けられており、各上ワイヤ５１の他端には重り５２が取り付けられている。奥棚４は、この重り５２が取り付けられた上ワイヤ５１によって、上方に常に引っ張られた状態で固定されている。又、奥棚４の下面の両端には、下ワイヤ５３の一端が取り付けられており、この下ワイヤ５３の他端はローラー等で成る支持部９を経由して扉２に繋がっている。
【００１６】
上ワイヤ５１、下ワイヤ５３及び重り５２は、扉２と奥棚４との連動手段５になっており、扉２を上に開くことによって下ワイヤ５３が引っ張られ、これに伴って、下ワイヤ５３が取り付けられた奥棚４は下面開口部６から下方に引っ張り出される。引っ張り出された奥棚４は、両側面の壁７に取り付けられたガイド８に沿ってキャビネット本体１から下方へと降下する。又、扉２を閉じることによって、奥棚４は、重り５２が取り付けられた上ワイヤ５１に引っ張られて、再びガイド８に沿って元の位置に戻る。
【００１７】
キャビネット本体１には扉２と壁７とを繋ぐロックステー１０が設けられており、このロックステー１０によって扉２は開いた状態で保持される。又、上ワイヤ５１及び下ワイヤ５３は、一部或いは全部がカバー１１で覆われており、壁７に取り付けられた支持部９に支持されて方向転換されることで、正確に動作するようになっている。
【００１８】
なお、下ワイヤ５３は扉２から外せるようになっており、この場合は、扉２を開いても奥棚４は降下してこない。
【００１９】
したがって、この実施形態のキャビネットにおいては、扉２を開くことで前棚３からの出し入れが可能となると共に、奥棚４が外部に降下するようになしているため、キャビネットの奥側に収納された収納物であっても容易に出し入れすることができる。又、奥棚４が下面開口部６から外部へと降下するようになしているため、キャビネットが高所に備えられた場合においても、奥棚４から収納物を容易に出し入れすることができる。
【００２０】
又、連動手段５を用いることによって、扉２の開閉作業に連動して奥棚４が移動するようになしているため、別途、奥棚４を移動させる必要なく、前棚３と奥棚４との両方において容易に収納物の出し入れが可能となる。
【００２１】
又、奥棚４は両側面の壁７に取り付けられたガイド８を通って昇降するため、昇降時に奥棚４が左右に揺れて不安定になることがなく、安定して昇降させることができる。
【００２２】
又、ロックステー１０を設けることで、扉２を開いた状態で保持できるため、使用者は扉２を手で支えながら収納物の出し入れをする必要がなく、収納物の出し入れがより容易になるものである。
【００２３】
又、上ワイヤ５１及び下ワイヤ５３はカバー１１で覆われているため、キャビネットの美観を損ねることはなく、ワイヤが絡まるといった問題も防ぐことができる。
【００２４】
又、下ワイヤ５３を扉２から外すことで、連動手段５を用いずに使用することも可能なため、前棚３のみを使用する場合は、奥棚４を下降させずに出し入れすることができる。
【００２５】
図２は、本願請求項１に対応した第二の実施形態であるキャビネットを示している。なお、ここでは、上記第一の実施形態と相違する事項についてのみ説明し、その他の事項（構成、作用効果等）については、上記第一の実施形態と同様であるのでその説明を省略する。このキャビネットは、箱型のキャビネット本体１であって、キャビネット本体１の側面の片側には側面開口部１３が設けられている。又、キャビネット本体１の前面は開口しており、この開口を横方向に回動して開閉する扉２が備えられている。
【００２６】
キャビネット本体１の内部には、扉２の開閉に連動して奥棚４を移動させる連動手段５が設けられている。この連動手段５は螺子きりされた棒状のガイド棒５４をモーター等により電動で回転させるものであり、このガイド棒５４が雄螺子となって、奥棚４の下方に螺子きりされて設けられた雌螺子となるガイド孔５５に挿入して設けられている。
【００２７】
この連動手段５を用いることによって、扉２を開くと同時にガイド棒５４が回転し、奥棚４は側面開口部１３から外部へと移動する。又、扉２を閉じると同時に、ガイド棒５４が開く時とは逆方向に回転し、奥棚４はキャビネット本体１の内部に戻るようになっている。
【００２８】
なお、この連動手段５は連動を解除することができ、扉２と奥棚４とを連動させないようにすることもできる。
【００２９】
したがって、この実施形態のキャビネットにおいては、連動手段５が電動であるため、奥棚４に重量のある収納物を収納している場合においても、扉２を容易に開閉することができる。
【図面の簡単な説明】
【００３０】
【図１】本願発明の第一の実施形態であるキャビネットを示す斜視図。
【図２】本願発明の第二の実施形態であるキャビネットを示す斜視図。
【図３】従来例であるキャビネットを示す断面図。
【符号の説明】
【００３１】
１  キャビネット本体
２  扉
３  前棚
４  奥棚
５  連動手段
６  下面開口
【図１】
2007222263.tif 000003
【図２】
2007222263.tif 000004
【図３】
2007222263.tif 000005